(57)【要約】  液晶表示パネル（５９）を有する表示装置（６９）のバックライトユニット（４９）は、シャーシ（４１）及びそれに支持される拡散板（４３）と、シャーシ上の実装基板（２１）に支持される点光源を備える。点光源は発光モジュール（ＭＪ）からなる。複数の実装基板が、シャーシ上に設定された実装基板配置用矩形領域（４１ａ）に敷き延べられる。実装基板同士の境界間隙は、実装基板配置用矩形領域の長辺方向と短辺方向の少なくとも一方において、実装基板配置用矩形領域の端から端までを見通せる形では連続しない。
2011004625.tif 000002
【特許請求の範囲】
【請求項１】
照明装置であって、以下を特徴とするもの：
拡散板と、前記拡散板を支持するシャーシと、それぞれが複数の点状光源を支持する複数の実装基板により構成される光源とを含み、
前記実装基板は、前記シャーシ上に設定された実装基板配置用矩形領域に敷き延べられるものであり、前記実装基板同士の境界間隙は、前記実装基板配置用矩形領域の長辺方向と短辺方向の少なくとも一方において、当該実装基板配置用矩形領域の端から端までを見通せる形では連続しない。
【請求項２】
請求項１の照明装置であって、以下を特徴とするもの：
複数種類の矩形実装基板が前記実装基板配置用矩形領域に敷き延べられるものであり、前記実装基板同士の境界間隙は、前記実装基板配置用矩形領域の長辺方向と短辺方向の両方において、当該実装基板配置用矩形領域の端から端までを見通せる形では連続しない。
【請求項３】
請求項１の照明装置であって、以下を特徴とするもの：
長さの異なる短冊状実装基板を長手方向に直列に並べた実装基板列が複数列、前記実装基板配置用矩形領域に敷き延べられるものであり、隣接する前記実装基板列同士の間で前記短冊状実装基板同士の境界間隙がずれていることにより、前記実装基板同士の境界間隙は、前記実装基板配置用矩形領域の長辺方向と短辺方向の少なくとも一方において、当該実装基板配置用矩形領域の端から端までを見通せる形では連続しない。
【請求項４】
請求項１の照明装置であって、以下を特徴とするもの：
前記点状光源は実装基板に実装された発光素子からなり、前記発光素子はレンズで覆われる。
【請求項５】
請求項４の照明装置であって、以下を特徴とするもの：
前記レンズは光拡散機能を備える。
【請求項６】
請求項５の照明装置であって、以下を特徴とするもの：
前記レンズは、前記実装基板側の面に表面粗し処理を施すことにより光拡散機能が付与されている。
【請求項７】
請求項４の照明装置であって、以下を特徴とするもの：
前記発光素子はＬＥＤである。
【請求項８】
請求項７の照明装置であって、以下を特徴とするもの：
前記ＬＥＤは、黄色の領域に発光ピークを持つ蛍光体を青色発光チップに塗布して白色発光としたものである。
【請求項９】
請求項７の照明装置であって、以下を特徴とするもの：
前記ＬＥＤは、緑色と赤色の領域に発光ピークを持つ蛍光体を青色発光チップに塗布して白色発光としたものである。
【請求項１０】
請求項７の照明装置であって、以下を特徴とするもの：
前記ＬＥＤは、緑色の領域に発光ピークを持つ蛍光体を青色発光チップに塗布し、これに赤色発光チップを組み合わせて白色発光としたものである。
【請求項１１】
請求項７の照明装置であって、以下を特徴とするもの：
前記ＬＥＤは、青、緑、赤の各色の発光チップを組み合わせて白色発光としたものである。
【請求項１２】
請求項７の照明装置であって、以下を特徴とするもの：
前記ＬＥＤは、紫外光チップに蛍光体を組み合わせたものである。
【請求項１３】
請求項１２の照明装置であって、以下を特徴とするもの：
前記ＬＥＤは、青色、緑色、及び赤色の領域に発光ピークを持つ蛍光体を紫外光チップに塗布して白色発光としたものである。
【請求項１４】
表示装置であって、以下を特徴とするもの：
請求項１から１３のいずれかの照明装置と、前記照明装置からの光を受ける表示パネルと、を含む。
【請求項１５】
請求項１４の照明装置であって、以下を特徴とするもの：
前記表示パネルが液晶表示パネルである。
【請求項１６】
テレビジョン受像器であって、以下を特徴とするもの：
請求項１４の表示装置を備える。
【発明の詳細な説明】
【技術分野】
【０００１】
本発明は、照明装置、前記照明装置を含む表示装置、及び前記表示装置を備えるテレビジョン受像器に関する。
【背景技術】
【０００２】
自らは発光しない表示パネル、例えば液晶表示パネルを使用する表示装置には、通常、表示パネルを背後から照らす照明装置が組み合わせられる。この種の照明装置の光源には、冷陰極管や発光素子など、様々な種類のものが用いられる。発光素子には、発光ダイオード（以下「ＬＥＤ」と称する）、有機エレクトロルミネセンス素子、無機エレクトロルミネセンス素子などがあるが、現今ではＬＥＤが主流となっている。特許文献１に記載された照明装置の光源もＬＥＤである。【０００３】
特許文献１記載の照明装置では、図１２に示すように、実装基板１２１にＬＥＤ１２２が実装され、さらに、ＬＥＤ１２２を覆うレンズ１２４が実装基板１２１に取り付けられている。実装基板１２１、ＬＥＤ１２２、及びレンズ１２４が発光モジュールｍｊを構成する。多数の発光モジュールｍｊがマトリックス状に配置され、面状光源を構成する。【０００４】
特許文献１に記載された照明装置では点状の光源が多数並べられているが、特許文献２に記載された照明装置では冷陰極管のような線状の光源が多数並べられている。このように複数の光源が並べられた照明装置を表示装置に組み合わせる場合、光源からの光が直接照明装置に入ると画面に明るさのムラが生じるので、光源と表示装置の間に、光を拡散させる拡散板が配置される。拡散板は、特許文献２にも見られるように、照明装置の一部として構成されるのが一般的である。【０００５】
点状の光源を多数並べて面状光源を構成するに際し、照明を要する面積が広くなると、それぞれ複数の点状光源を支持する実装基板を複数並べる構成が必要になることがある。特許文献３にそのような構成の一例が示されている。
【先行技術文献】
【特許文献】
【０００６】
【特許文献１】特開２００８−４１５４６
【特許文献２】特開２００５−１９０６５
【特許文献３】特開２００６−３０１２０９
【発明の概要】
【発明が解決しようとする課題】
【０００７】
点状光源を支持する実装基板には、光反射率を高めるため、表面に反射シートが貼り付けられることが多い。実装基板にそれと同じ大きさの反射シートが貼り付けられると、実装基板とそれ以外の個所との光反射率の差が大きくなり、次のような問題が起きることがある。【０００８】
それは、実装基板の継ぎ目、すなわち実装基板同士の境界に生じる間隙が、間隙の広さによっては拡散板の外側から暗部として認識されるということである。それを図１３と図１４により説明する。【０００９】
図１３には、ＬＥＤのような点状光源１０２を複数支持する実装基板１０１が示されている。実装基板１０１は横長の矩形であり、点状光源１０２が４行１１列のマトリックスを構成するように配置されている。この実装基板１０１が４行２列に並べられ、全体として１６行２２列の点状光源１０２からなる矩形の面状光源を形成している。【００１０】
図１４に示すのは上記面状光源で照明される拡散板１０３である。ここには、実装基板１０１同士の境界間隙が暗部Ｓとして見えている状態が描かれている。実装基板１０１同士の境界間隙は、碁盤の目のように真っ直ぐ通っているため、暗部Ｓは長くて目立つものになりやすい。【００１１】
特許文献３に開示された照明装置では、図１５に示すように、点状光源１０２を一列に並べた短冊状の実装基板１０１が３枚ずつ直列に並べられ、この実装基板１０１の並びが複数行配置されて面状光源が形成されている。３枚の実装基板１０１の並びは１行毎に位置がずらされており、そのため実装基板１０１同士の境界間隙はジグザグ状あるいは千鳥状の配置となり、たとえ拡散板１０３に図１４のような暗部Ｓが生じることがあったとしても、長くて目立つものにはならない。【００１２】
しかしながら特許文献３の照明装置では、実装基板１０１の端が揃わないことから、面状光源の端の方で点状光源１０２の配置が手薄になる。そのため、図１６に示すように、拡散板１０３の端に光量不足に起因する暗部Ｓ１が生じる。照明装置を組み込む電子機器の額縁状ケース部分で暗部Ｓ１を覆って見えなくしようと思えば、額縁が幅広のものになり、電子機器のデザインで求められる狭額縁化を達成できない。【００１３】
本発明は上記の点に鑑みなされたものであり、拡散板と、前記拡散板を支持するシャーシと、それぞれが複数の点状光源を支持する複数の実装基板により構成される光源とを備えた照明装置において、前記実装基板同士の境界間隙が前記拡散板に目立つ形で現れないようにすることを目的とする。
【課題を解決するための手段】
【００１４】
本発明の好ましい実施形態によれば、拡散板と、前記拡散板を支持するシャーシと、それぞれが複数の点状光源を支持する複数の実装基板により構成される光源とを備えた照明装置において、前記実装基板は、前記シャーシ上に設定された実装基板配置用矩形領域に敷き延べられるものであり、前記実装基板同士の境界間隙は、前記実装基板配置用矩形領域の長辺方向と短辺方向の少なくとも一方において、当該実装基板配置用矩形領域の端から端までを見通せる形では連続しない。【００１５】
この構成によると、実装基板が実装基板配置用矩形領域に敷き延べられているので、実装基板配置用矩形領域の隅から隅まで、面状光源に求められる光量を確保することができる。また、実装基板同士の境界間隙は、実装基板配置用矩形領域の長辺方向と短辺方向の少なくとも一方において、実装基板配置用矩形領域の端から端までを見通せる形では連続しないから、拡散板に長くて目立つ暗部が生じない。【００１６】
本発明の好ましい実施形態によれば、上記構成の照明装置において、複数種類の矩形実装基板が前記実装基板配置用矩形領域に敷き延べられるものであり、前記実装基板同士の境界間隙は、前記実装基板配置用矩形領域の長辺方向と短辺方向の両方において、当該実装基板配置用矩形領域の端から端までを見通せる形では連続しない。【００１７】
この構成によると、拡散板の長辺方向にも短辺方向にも、長くて目立つ暗部は生じない。【００１８】
本発明の好ましい実施形態によれば、上記構成の照明装置において、長さの異なる短冊状実装基板を長手方向に直列に並べた実装基板列が複数列、前記実装基板配置用矩形領域に敷き延べられるものであり、隣接する前記実装基板列同士の間で前記短冊状実装基板同士の境界間隙がずれていることにより、前記実装基板同士の境界間隙は、前記実装基板配置用矩形領域の長辺方向と短辺方向の少なくとも一方において、当該実装基板配置用矩形領域の端から端までを見通せる形では連続しない。【００１９】
この構成によると、実装基板の配置の設計が容易である。【００２０】
本発明の好ましい実施形態によれば、上記構成の照明装置において、前記点状光源は実装基板に実装された発光素子からなり、前記発光素子はレンズで覆われる。【００２１】
この構成によると、発光素子から出射する光の指向性をレンズで調整することができる。【００２２】
本発明の好ましい実施形態によれば、上記構成の照明装置において、前記レンズは光拡散機能を備える。【００２３】
この構成によると、レンズの光拡散機能により、良好な光の拡散を行うことが可能となる。このため、発光素子から出射する光の広がりが大きくなり、広い面積を比較的少数の発光素子でカバーすることができる。【００２４】
本発明の好ましい実施形態によれば、上記構成の照明装置において、前記レンズは、前記実装基板側の面に表面粗し処理を施すことにより光拡散機能が付与されている。【００２５】
この構成によると、一層良好な光の拡散を行うことが可能となる。【００２６】
本発明の好ましい実施形態によれば、上記構成の照明装置において、前記発光素子はＬＥＤである。【００２７】
この構成によると、近年高輝度化がめざましいＬＥＤを用いて、明るい照明装置を得ることができる。また、光源の長寿命化及び消費電力低減を図ることができる。【００２８】
本発明の好ましい実施形態によれば、上記構成の照明装置において、前記ＬＥＤは、黄色の領域に発光ピークを持つ蛍光体を青色発光チップに塗布して白色発光としたものである。【００２９】
本発明の好ましい実施形態によれば、上記構成の照明装置において、前記ＬＥＤは、緑色と赤色の領域に発光ピークを持つ蛍光体を青色発光チップに塗布して白色発光としたものである。【００３０】
本発明の好ましい実施形態によれば、上記構成の照明装置において、前記ＬＥＤは、緑色の領域に発光ピークを持つ蛍光体を青色発光チップに塗布し、これに赤色発光チップを組み合わせて白色発光としたものである。【００３１】
本発明の好ましい実施形態によれば、上記構成の照明装置において、前記ＬＥＤは、青、緑、赤の各色の発光チップを組み合わせて白色発光としたものである。【００３２】
白色発光するＬＥＤは、青味が勝ったりすることで色調にばらつきが生じやすい。本発明のように白色発光させれば、色調が全体として平均化され、ほぼ均一な色調の照明光を得ることができる。【００３３】
本発明の好ましい実施形態によれば、上記構成の照明装置において、前記ＬＥＤは、紫外光チップに蛍光体を組み合わせたものである。【００３４】
本発明の好ましい実施形態によれば、上記構成の照明装置において、前記ＬＥＤは、青色、緑色、及び赤色の領域に発光ピークを持つ蛍光体を紫外光チップに塗布して白色発光としたものである。【００３５】
紫外光チップを光源とする場合、色調にばらつきが生じやすいが、本発明の構成によれば、色調が全体として平均化され、ほぼ均一な色調の照明光を得ることができる。【００３６】
本発明の好ましい実施形態によれば、上記構成の照明装置と、前記照明装置からの光を受ける表示パネルと、を含む表示装置が構成される。【００３７】
この構成によると、輝度のムラが少ない表示装置を得ることができる。【００３８】
本発明の好ましい実施形態によれば、上記構成の表示装置において、前記表示パネルが液晶表示パネルである。【００３９】
この構成によると、輝度のムラが少ない液晶表示装置を得ることができる。【００４０】
本発明の好ましい実施形態によれば、上記構成の表示装置を備えるテレビジョン受像器が構成される。【００４１】
この構成によると、画面に輝度のムラが少ないテレビジョン受像器を得ることができる。
【発明の効果】
【００４２】
本発明によると、実装基板配置用矩形領域の隅から隅まで、面状光源としての光量を確保することができ、また、照明品質を低下させる、長くて目立つ暗部が拡散板に生じることを抑制できる。
【図面の簡単な説明】
【００４３】
【図１】本発明の好ましい実施形態に係る照明装置を含む表示装置の分解斜視図である。
【図２】照明装置の部分断面図である。
【図３】第１実施形態の実装基板配置構成の平面図である。
【図４】第１実施形態の実装基板配置構成で照明された拡散板の平面図である。
【図５】第２実施形態の実装基板配置構成の平面図である。
【図６】第３実施形態の実装基板配置構成の平面図である。
【図７】第４実施形態の実装基板配置構成の平面図である。
【図８】第５実施形態の実装基板配置構成の平面図である。
【図９】第６実施形態の実装基板配置構成の平面図である。
【図１０】第７実施形態の実装基板配置構成の平面図である。
【図１１】テレビジョン受像器の分解斜視図である。
【図１２】従来の照明装置の分解斜視図である。
【図１３】実装基板配置構成例を示す平面図である。
【図１４】図１３の実装基板配置構成で照明された拡散板の平面図である。
【図１５】他の実装基板配置構成例を示す平面図である。
【図１６】図１５の実装基板配置構成で照明された拡散板の平面図である。
【図１７】ＬＥＤの照射方向による照度の異なり方を示すグラフである。
【図１８】複数のＬＥＤの輝度の集合イメージを示す図である。
【発明を実施するための形態】
【００４４】
本発明の好ましい実施形態に係る照明装置を備えた表示装置の実施形態の構造を図１から図４に基づき説明する。図１において表示装置６９は、表示面が上向きになるように水平に置かれた状態で描かれている。
【００４５】
表示装置６９は、表示パネルとして液晶表示パネル５９を用いている。液晶表示パネル５９と、それを背後から照らすバックライトユニット４９は、１個のハウジング内に収容されている。ハウジングは表ハウジング部材ＨＧ１と裏ハウジング部材ＨＧ２を合わせて構成される。
【００４６】
液晶表示パネル５９は、薄膜トランジスタ（ＴＦＴ）等のスイッチング素子を含むアクティブマトリックス基板５１と、アクティブマトリックス基板５１に対向する対向基板５２を図示しないシール材を介在させて貼り合わせ、アクティブマトリックス基板５１と対向基板５２の間に液晶を注入して構成される。
【００４７】
アクティブマトリックス基板５１の受光面側と、対向基板５２の出射側には、それぞれ偏光フィルム５３が貼り付けられる。液晶表示パネル５９は液晶分子の傾きに起因する光透過率の変化を利用して画像を形成する。
【００４８】
本発明に係る照明装置が具体的な形をとったものであるバックライトユニット４９は、次の構成を備える。すなわちバックライトユニット４９は、発光モジュールＭＪ、シャーシ４１、拡散板４３、プリズムシート４４、及びマイクロレンズシート４５を含む。
【００４９】
シャーシ４１はトレイのような形をしており、矩形の主平面の外周に立ち上がり壁が形成されている。
【００５０】
発光モジュールＭＪは、実装基板２１、実装基板２１上に配置された点状光源、点状光源を覆うレンズ２４、及び実装基板２１の表面に貼り付けられた反射シート１１を含む。反射シート１１は、全体では実装基板２１と同じ大きさになっている。点状光源は実装基板２１に実装された発光素子からなる。実施形態における発光素子はＬＥＤ２２である。
【００５１】
反射シート１１としては、内部に多数の微細な気泡を有する発泡樹脂シートであって、気泡の界面反射を積極的に活用して光を反射するものを採用することができる。この種の反射シートは光の反射率が高く、ポリエチレンテレフタレート（ＰＥＴ）を材料とするものでは反射率９８％以上のシートが存在するので、そのようなシートを採用することが望ましい。
【００５２】
レンズ２４は光拡散機能を備える。レンズ２４が備える光拡散機能の意義について説明する。例えば特許文献１記載の照明装置を考えた場合、図１２の照明装置は、レンズ１２４が組み合わせられているとは言え、個々のＬＥＤ１２２の光の広がりが小さいので、輝度のムラをなくそうと思えば発光モジュールｍｊを高密度で多数配置する必要がある。このため部品コストや実装コストがかさみ、全体として高価なものとなる。
【００５３】
最近ではＬＥＤの高輝度化が進み、比較的少ない個数のＬＥＤで全画面分の光量をまかなうことが可能になっている。但し、高輝度のＬＥＤを疎らに配置したのでは輝度にムラが生じることを避けられないので、個々のＬＥＤに光拡散機能を備えたレンズを組み合わせて用いることが好ましい。本明細書では、光拡散機能を備えたレンズを「拡散レンズ」と称する。
【００５４】
図１７は、単体のＬＥＤと拡散レンズ付きＬＥＤの、照射方向による照度（単位Ｌｕｘ）の異なり方を示すグラフである。単体のＬＥＤの場合、光軸の角度である９０°をピークとし、そこから離れるにつれ急激に照度が落ちて行く。これに対し拡散レンズ付きＬＥＤの場合、一定以上の照度を確保できる領域を広げ、光軸と異なる角度に照度のピークを設定することが可能である。なお、図の照度パターンは拡散レンズの設計によってどのようにでも変化させられることは言うまでもない。
【００５５】
複数のＬＥＤの輝度の集合イメージを図１８に示す。図中、実線の波形は拡散レンズ付きＬＥＤの輝度、点線の波形は単体のＬＥＤの輝度を表している。波形の中の水平線は、ピーク値の半分の輝度における波形の幅（半値幅）を示す。拡散レンズ付きＬＥＤの場合は、個々の波形を幅広にできるので、全体の集合としての輝度を、図の上方に実線で示すようにフラットな形にするのが容易である。しかしながら、単体のＬＥＤの場合、個々の波形は、高さがある一方、幅は狭く、それらを集合した輝度に波が生じることを避けられない。このように輝度にムラがある画像は好ましくないので、拡散レンズ付きＬＥＤの採用はほぼ必然となる。
【００５６】
上記の点に鑑み、発光モジュールＭＪは拡散レンズ２４を含むこととされている。
【００５７】
拡散レンズ２４の、実装基板２１に向き合う面にシボ加工のような表面粗し処理を施して光拡散機能を付与することもできる。これにより、一層良好な光の拡散を行うことが可能となる。
【００５８】
実装基板２１は矩形であり、その上面の実装面２１Ｕには、複数の電極（図示せず）がマトリックス状に形成されており、この電極にＬＥＤ２２が実装されている。実装基板２１は複数のＬＥＤ２２に対する共通の基板となる。ＬＥＤ２２と拡散レンズ２４の組み合わせは、図１のＸ矢印方向とＹ矢印方向を行列方向とするマトリックス状に複数組配置される。実装基板２１は、カシメ、接着、ネジ止め、リベット止めなどの適宜手段でシャーシ４１に固定される。
【００５９】
拡散レンズ２４は平面形状円形で、下面に複数の脚部２４ａを有し、脚部２４ａの先端を接着剤で実装基板２１の実装面２１Ｕに接着することにより実装基板２１に取り付けられる。反射シート１１には拡散レンズ２４の脚部２４ａを通す貫通穴が形成されている。脚部２４ａの存在により、実装基板２１と拡散レンズ２４の間に隙間が生じる。この隙間を通って流れる空気流により、ＬＥＤ２２は冷却される。なお、放熱の問題を解決できれば、拡散レンズの中にＬＥＤを埋め込んだ一体モールド形式の発光モジュールを用いることも可能である。
【００６０】
様々なタイプのＬＥＤをＬＥＤ２２として用いることができる。例えば、黄色の領域に発光ピークを持つ蛍光体を青色発光チップに塗布して白色発光としたＬＥＤを用いることができる。緑色と赤色の領域に発光ピークを持つ蛍光体を青色発光チップに塗布して白色発光としたＬＥＤを用いることもできる。緑色の領域に発光ピークを持つ蛍光体を青色発光チップに塗布し、これに赤色発光チップを組み合わせて白色発光としたＬＥＤを用いることもできる。青、緑、赤の各色の発光チップを組み合わせて白色発光としたＬＥＤを用いることもできる。
【００６１】
白色発光するＬＥＤは、青味が勝ったりすることで色調にばらつきが生じやすい。上述のように白色発光させれば、色調が全体として平均化され、ほぼ均一な色調の照明光を得ることができる。
【００６２】
他のタイプのＬＥＤとして、紫外光チップに蛍光体を組み合わせたもの、特に、青色、緑色、及び赤色の領域に発光ピークを持つ蛍光体を紫外光チップに塗布して白色発光としたものを用いることもできる。
【００６３】
紫外光チップを光源とする場合、色調にばらつきが生じやすいが、上述のように構成すれば、色調が全体として平均化され、ほぼ均一な色調の照明光を得ることができる。
【００６４】
実装基板２１には、いずれも矩形であるとはいうものの、形状と大きさの異なる複数種類のものが取り揃えられている。図１と図３に示す、第１実施形態の実装基板配置構成では、合計１１枚の実装基板２１が、シャーシ４１上に設定された実装基板配置用矩形領域４１ａ（図３参照）に敷き延べられている。各実装基板２１が支持する発光モジュールＭＪは、全てが合わさって、実装基板配置用矩形領域４１ａの全域に一様に展開するマトリックスを構成する。
【００６５】
発光モジュールＭＪのＬＥＤ２２が点灯すると、ＬＥＤ２２から出射した光が拡散板４３を裏面から照射する。直接拡散板４３の方向に向かわない光は反射シート１１により拡散板４３の方に反射される。光は拡散板４３の内部で拡散されるため、外部からは、拡散板４３が比較的均一な輝度の面として見えることになる。
【００６６】
実装基板２１同士の境界間隙は、実装基板配置用矩形領域４１ａの長辺方向と短辺方向の両方において、実装基板配置用矩形領域４１ａの端から端までを見通せる形では連続していない。このため、仮に拡散板４３に暗部が生じることがあったとしても、図４に示すように、拡散板４３の長辺方向にも短辺方向にも、長くて目立つ暗部Ｓは生じない。一方で、実装基板２１が実装基板配置用矩形領域４１ａに敷き延べられているため、実装基板配置用矩形領域４１ａの隅から隅まで、面状光源に求められる光量を確保することができる。
【００６７】
図５から図１０に、実装基板配置構成の他の好ましい実施形態を示す。
【００６８】
図５に示す第２実施形態の実装基板配置構成では、合計８枚の実装基板２１が実装基板配置用矩形領域４１ａに敷き延べられている。各実装基板２１は、列方向、すなわち図１のＹ矢印方向に４個の発光モジュールＭＪを並べている。行方向、すなわち図１のＸ矢印方向に関して言えば、図５において上から１段目に並ぶ２枚の実装基板２１は、左側のものは発光モジュールＭＪ５列分の横幅、右側のものは発光モジュールＭＪ１７列分の横幅となっている。上から３段目も１段目と同じ構成である。上から２段目に並ぶ２枚の実装基板２１は、左側のものは発光モジュールＭＪ１０列分の横幅、右側のものは発光モジュールＭＪ１２列分の横幅となっている。上から４段目も２段目と同じ構成である。
【００６９】
第２実施形態の実装基板配置構成では、実装基板配置用矩形領域４１ａの短辺方向において、実装基板２１同士の境界間隙は、実装基板配置用矩形領域４１ａの端から端までを見通せる形では連続しないから、少なくともこの方向においては、拡散板４３に長くて目立つ暗部は生じない。一方で、実装基板２１が実装基板配置用矩形領域４１ａに敷き延べられているため、実装基板配置用矩形領域４１ａの隅から隅まで、面状光源に求められる光量を確保することができる。
【００７０】
図６に示す第３実施形態の実装基板配置構成では、合計８枚の実装基板２１が実装基板配置用矩形領域４１ａに敷き延べられている。各実装基板２１は、列方向、すなわち図１のＹ矢印方向に４個の発光モジュールＭＪを並べている。行方向、すなわち図１のＸ矢印方向に関して言えば、図６において上から１段目に並ぶ２枚の実装基板２１は、左側のものは発光モジュールＭＪ５列分の横幅、右側のものは発光モジュールＭＪ１７列分の横幅となっている。上から３段目も１段目と同じ構成である。上から２段目に並ぶ２枚の実装基板２１は、左側のものは発光モジュールＭＪ１７列分の横幅、右側のものは発光モジュールＭＪ５列分の横幅となっている。上から４段目も２段目と同じ構成である。
【００７１】
第２実施形態と同様、第３実施形態の実装基板配置構成では、実装基板配置用矩形領域４１ａの短辺方向において、実装基板２１同士の境界間隙は、実装基板配置用矩形領域４１ａの端から端までを見通せる形では連続しないから、少なくともこの方向においては、拡散板４３に長くて目立つ暗部は生じない。一方で、実装基板２１が実装基板配置用矩形領域４１ａに敷き延べられているため、実装基板配置用矩形領域４１ａの隅から隅まで、面状光源に求められる光量を確保することができる。
【００７２】
図７に示す第４実施形態の実装基板配置構成では、合計８枚の実装基板２１が実装基板配置用矩形領域４１ａに敷き延べられている。各実装基板２１は、列方向、すなわち図１のＹ矢印方向に４個の発光モジュールＭＪを並べている。行方向、すなわち図１のＸ矢印方向に関して言えば、図７において上から１段目に並ぶ２枚の実装基板２１は、左側のものは発光モジュールＭＪ５列分の横幅、右側のものは発光モジュールＭＪ１７列分の横幅となっている。上から２段目も１段目と同じ構成である。上から３段目に並ぶ２枚の実装基板２１は、左側のものは発光モジュールＭＪ１７列分の横幅、右側のものは発光モジュールＭＪ５列分の横幅となっている。上から４段目も３段目と同じ構成である。
【００７３】
第２実施形態と同様、第４実施形態の実装基板配置構成では、実装基板配置用矩形領域４１ａの短辺方向において、実装基板２１同士の境界間隙は、実装基板配置用矩形領域４１ａの端から端までを見通せる形では連続しないから、少なくともこの方向においては、拡散板４３に長くて目立つ暗部は生じない。一方で、実装基板２１が実装基板配置用矩形領域４１ａに敷き延べられているため、実装基板配置用矩形領域４１ａの隅から隅まで、面状光源に求められる光量を確保することができる。
【００７４】
図８に示す第５実施形態の実装基板配置構成では、合計８枚の実装基板２１が実装基板配置用矩形領域４１ａに敷き延べられている。各実装基板２１は、列方向、すなわち図１のＹ矢印方向に４個の発光モジュールＭＪを並べている。行方向、すなわち図１のＸ矢印方向に関して言えば、図８において上から１段目に並ぶ２枚の実装基板２１は、左側のものは発光モジュールＭＪ５列分の横幅、右側のものは発光モジュールＭＪ１７列分の横幅となっている。上から２段目と３段目も１段目と同じ構成である。上から４段目に並ぶ２枚の実装基板２１は、左側のものは発光モジュールＭＪ１７列分の横幅、右側のものは発光モジュールＭＪ５列分の横幅となっている。
【００７５】
第２実施形態と同様、第５実施形態の実装基板配置構成では、実装基板配置用矩形領域４１ａの短辺方向において、実装基板２１同士の境界間隙は、実装基板配置用矩形領域４１ａの端から端までを見通せる形では連続しないから、少なくともこの方向においては、拡散板４３に長くて目立つ暗部は生じない。一方で、実装基板２１が実装基板配置用矩形領域４１ａに敷き延べられているため、実装基板配置用矩形領域４１ａの隅から隅まで、面状光源に求められる光量を確保することができる。
【００７６】
図９に示す第６実施形態の実装基板配置構成では、合計４８枚の実装基板２１が実装基板配置用矩形領域４１ａに敷き延べられる。実装基板２１は横長の短冊状であり、各実装基板２１には、行方向、すなわち図１のＸ矢印方向に複数の発光モジュールＭＪが並ぶ。実装基板２１の長さは全部同じという訳ではない。図９において上から１段目に並ぶ３枚の実装基板２１は、左側のものは発光モジュールＭＪ５個分の横幅、中央のものは発光モジュールＭＪ１２個分の横幅、右側のものは発光モジュールＭＪ５個分の横幅となっている。上から２段目に並ぶ３枚の実装基板２１は、左側のものは発光モジュールＭＪ７個分の横幅、中央のものは発光モジュールＭＪ８個分の横幅、右側のものは発光モジュールＭＪ７個分の横幅となっている。３段目以降は、１段目と２段目の構成の繰り返しである。
【００７７】
３枚の実装基板２１を横にならべて構成される実装基板列は、隣接する実装基板列同士の間で、例えば１段目の実装基板列と２段目の実装基板列の間で、実装基板２１同士の境界間隙の位置がずれている。このため、実装基板配置用矩形領域４１ａの短辺方向において、実装基板２１同士の境界間隙は、実装基板配置用矩形領域４１ａの端から端までを見通せる形では連続しないから、少なくともこの方向においては、拡散板４３に長くて目立つ暗部は生じない。一方で、実装基板２１が実装基板配置用矩形領域４１ａに敷き延べられているため、実装基板配置用矩形領域４１ａの隅から隅まで、面状光源に求められる光量を確保することができる。
【００７８】
図１０に示す第７実施形態の実装基板配置構成では、合計３２枚の短冊状実装基板２１が実装基板配置用矩形領域４１ａに敷き延べられる。図１０において上から１段目に並ぶ２枚の実装基板２１は、左側のものは発光モジュールＭＪ８個分の横幅、右側のものは発光モジュールＭＪ１４個分の横幅となっている。上から２段目に並ぶ３枚の実装基板２１は、左側のものは発光モジュールＭＪ１４個分の横幅、右側のものは発光モジュールＭＪ８個分の横幅となっている。３段目以降は、１段目と２段目の構成の繰り返しである。
【００７９】
２枚の実装基板２１を横にならべて構成される実装基板列は、隣接する実装基板列同士の間で、例えば１段目の実装基板列と２段目の実装基板列の間で、実装基板２１同士の境界間隙の位置がずれている。このため、実装基板配置用矩形領域４１ａの短辺方向において、実装基板２１同士の境界間隙は、実装基板配置用矩形領域４１ａの端から端までを見通せる形では連続しないから、少なくともこの方向においては、拡散板４３に長くて目立つ暗部は生じない。一方で、実装基板２１が実装基板配置用矩形領域４１ａに敷き延べられているため、実装基板配置用矩形領域４１ａの隅から隅まで、面状光源に求められる光量を確保することができる。
【００８０】
第１実施形態から第７実施形態までの実装基板配置構成は、発明の内容を限定するものではない。実装基板２１の総枚数、１枚の実装基板２１が支持する発光モジュールＭＪの個数、発光モジュールＭＪのマトリックスパターンなど、自由に設定することができる。
【００８１】
図１１に、表示装置６９を組み込むテレビジョン受像器の構成例を示す。テレビジョン受像器８９は、前部キャビネット９０と後部キャビネット９１を合わせて構成されるキャビネット内に表示装置６９と制御基板群９２を収納し、そのキャビネットをスタンド９３で支える構成となっている。
【００８２】
以上、本発明の実施形態につき説明したが、本発明の範囲はこれに限定されるものではなく、発明の主旨を逸脱しない範囲で種々の変更を加えて実施することができる。
【産業上の利用可能性】
【００８３】
本発明は、光源からの光を拡散板に照射する照明装置に広く利用可能である。また、前記照明装置を含む表示装置、及び前記表示装置を備えるテレビジョン受像器に広く利用可能である。
【符号の説明】
【００８４】
４９  バックライトユニット
４１  シャーシ
４３  拡散板
ＭＪ  発光モジュール
２１  実装基板
２２  ＬＥＤ
２４  拡散レンズ
１１  反射シート
５９  液晶表示パネル
６９  表示装置
８９  テレビジョン受像器
【図１】
2011004625.tif 000003
【図２】
2011004625.tif 000004
【図３】
2011004625.tif 000005
【図４】
2011004625.tif 000006
【図５】
2011004625.tif 000007
【図６】
2011004625.tif 000008
【図７】
2011004625.tif 000009
【図８】
2011004625.tif 000010
【図９】
2011004625.tif 000011
【図１０】
2011004625.tif 000012
【図１１】
2011004625.tif 000013
【図１２】
2011004625.tif 000014
【図１３】
2011004625.tif 000015
【図１４】
2011004625.tif 000016
【図１５】
2011004625.tif 000017
【図１７】
2011004625.tif 000018
【図１８】
2011004625.tif 000019
【図１６】
2011004625.tif 000020
【国際調査報告】
2011004625.tif 000021
2011004625.tif 000022